(57)【要約】      （修正有）【課題】外部電源投入時に正確な時刻表示を行う電波修正時計を提供する。【解決手段】内部電源２０２と、外部電源投入部２１０と、内部時計１４０１が計時する計時時刻に基づいて時刻表示を行う秒針駆動系および時分針駆動系と、外部電源投入部２１０で外部電源２０１の投入が行われたか否かを監視する電源部２００と、電源部２００の監視結果に応じて内部時計１４０１への駆動電力の供給を内部電源２０２または外部電源２０１に切替えるトランジスタと、外部電源２０１の投入を検出しないと、内部電源２０２による駆動電力を内部時計１４０１に供給して時刻計時を行わせる一方、時刻表示を停止させ、予め設定した時刻になると標準時刻電波信号を基に時刻修正を行い、外部電源２０１の投入を検出すると、外部電源２０１による駆動電力を内部時計１４０１に供給して時刻計時を行わせ、計時時刻に基づいて時刻表示を行わせる制御回路１４とを設ける。【選択図】  図１
2004354060.tif 000002
【特許請求の範囲】
【請求項１】
内部時計により計時時刻を計時し、標準時刻電波信号に応じて時刻修正を行う電波修正時計であって、
内部電源と、
外部電源投入部と、
前記内部時計が計時する計時時刻に基づいて時刻表示を行う時刻表示手段と、
外部電源投入部で前記外部電源の投入が行われたか否かを監視する外部電源監視手段と、
前記外部電源監視手段の監視結果に応じて前記内部時計への駆動電力の供給を前記内部電源または前記外部電源に切替える制御手段とを有し、
前記制御手段は、前記外部電源監視手段により前記外部電源の投入を検出していない場合には、前記内部電源による駆動電力を前記内部時計に供給して時刻計時を行わせる一方、前記時刻表示手段による時刻表示を停止させ、前記内部時計の計時時刻が予め設定した時刻になると前記標準時刻電波信号に応じて時刻修正を行い、前記外部電源監視手段により前記外部電源の投入を検出した場合には、前記外部電源による駆動電力を前記内部時計に供給して時刻計時を行わせ、当該計時時刻に基づいて前記時刻表示手段に時刻表示を行わせる
電波修正時計。
【請求項２】
前記外部電源監視手段は、前記外部電源の電圧を検出し、
前記制御手段は、前記外部電源監視手段により予め設定された電圧より低い前記外部電源の電圧を検出した場合には、前記時刻表示手段による時刻表示を停止させ、前記内部電源による駆動電力を前記内部時計に供給して時刻計時を行わせる
請求項１に記載の電波修正時計。
【請求項３】
前記時刻表示手段は、
複数の基準位置が設けられた指針車を駆動する指針駆動系と、
前記指針車の前記基準位置を検出する基準位置検出手段とを有し、
前記制御手段は、前記外部電源監視手段により前記外部電源の投入を検出した場合には、前記指針駆動系を駆動して、前記基準位置検出手段の検出処理に基づいて前記指針車の前記基準位置を検出した後、前記内部時計の計時時刻に基づいて前記指針車の指針位置を設定する
請求項１に記載の電波修正時計。
【請求項４】
前記外部電源監視手段は、前記外部電源の電圧を検出し、
前記制御手段は、前記外部電源監視手段により予め設定された電圧より低い前記外部電源の電圧を検出した場合には、前記指針駆動系を停止して前記内部電源により内部時計が計時する計時時刻を保持させる
請求項２に記載の電波修正時計。
【請求項５】
前記制御手段は、前記外部電源監視手段により予め設定された電圧より低い前記外部電源の電圧を検出した場合には、前記秒針駆動系を停止させて、前記外部電源の電圧が低下した旨を表示させる
請求項２に記載の電波修正時計。
【請求項６】
前記制御手段は、制御信号に基づいて前記内部電源と前記外部電源とを切替える切替え手段を含み、
前記外部電源監視手段が前記外部電源の投入を検出した場合には、前記内部電源から前記外部電源に切替えさせる前記制御信号を前記切替え手段に出力し、前記予め設定された電圧より低い電圧を検出した場合には、前記外部電源から前記内部電源に切替える
請求項１〜５のいずれかに記載の電波修正時計。
【発明の詳細な説明】
【０００１】
【発明の属する技術分野】
本発明は、例えば、常に内部時計が計時時刻を計時し、設定時刻になると標準電波信号に基づいて時刻修正を行う電波修正時計に関するものである。
【０００２】
【従来の技術】
例えば、福島県田村郡都路村と双葉郡川内村の郡境にある大鷹谷山の標準電波送信局から周波数４０ｋＨｚの標準電波、九州の福岡県と佐賀県の県境に位置する羽金山の標準電波送信局から周波数６０ｋＨｚの標準電波が送信されている。この標準電波は、時刻コード、累積コード、曜日コード、および年コード等を含む標準時刻コードを含む。
【０００３】
この標準電波に含まれる標準時刻コード（標準時刻信号とも言う）に基づいて、指針による時刻表示を修正する電波修正時計が知られている（例えば、特許文献１参照）。
【０００４】
【特許文献１】
特開２００２−２２８７７５号公報（第１−１９図）
【０００５】
【発明が解決しようとする課題】
従来の電波修正時計では、例えば出荷前に外部電池を投入し、標準時刻信号を受信して時刻修正を行いながら正確な時刻表示を行う場合には、外部電池が消耗して、ユーザが電波修正時計を購入する時には外部電池の寿命が短くなる。
ところで、電波修正時計に内部電源を設け、出荷前に外部電源を投入しない状態で、内部電源により内部時計が計時する計時時刻を保持させ、出荷後にユーザが外部電源を投入して時刻表示を行わせる場合には、外部電源を投入しない状態が長期間続くと、内部時計による計時時刻の誤差が大きくなり、外部電源投入時に不正確な時刻表示を行うという問題点があった。
【０００６】
本発明は、かかる事情に鑑みてなされたものであり、その目的は外部電源投入時に、正確な時刻表示を行うことができる電波修正時計を提供することにある。
【０００７】
【課題を解決するための手段】
前記目的を達成するために、本発明の観点は、内部時計により計時時刻を計時し、標準時刻電波信号に応じて時刻修正を行う電波修正時計であって、内部電源と、外部電源投入部と、前記内部時計が計時する計時時刻に基づいて時刻表示を行う時刻表示手段と、外部電源投入部で前記外部電源の投入が行われたか否かを監視する外部電源監視手段と、前記外部電源監視手段の監視結果に応じて前記内部時計への駆動電力の供給を前記内部電源または前記外部電源に切替える制御手段とを有し、前記制御手段は、前記外部電源監視手段により前記外部電源の投入を検出していない場合には、前記内部電源による駆動電力を前記内部時計に供給して時刻計時を行わせる一方、前記時刻表示手段による時刻表示を停止させ、前記内部時計の計時時刻が予め設定した時刻になると前記標準時刻電波信号に応じて時刻修正を行い、前記外部電源監視手段により前記外部電源の投入を検出した場合には、前記外部電源による駆動電力を前記内部時計に供給して時刻計時を行わせ、当該計時時刻に基づいて前記時刻表示手段に時刻表示を行わせる。
【０００８】
本発明の観点によれば、時刻表示手段は内部時計が計時する計時時刻に基づいて時刻表示を行う。
外部電源監視手段は、外部電源投入部で外部電源の投入が行われたか否かを監視する。
制御手段は、外部電源監視手段の監視結果に応じて内部時計への駆動電力の供給を内部電源または外部電源に切替える。
また、制御手段は、外部電源監視手段により外部電源の投入を検出していない場合には、内部電源による駆動電力を内部時計に供給して時刻計時を行わせる一方、時刻表示手段による時刻表示を停止させ、内部時計の計時時刻が予め設定した時刻になると標準時刻電波信号に応じて時刻修正を行い、外部電源監視手段により外部電源の投入を検出した場合には、外部電源による駆動電力を内部時計に供給して時刻計時を行わせ、当該計時時刻に基づいて時刻表示手段に時刻表示を行わせる。
【０００９】
【発明の実施の形態】
本発明の実施形態に係る電波修正時計は、例えば内部電源として内部電池を有し、外部電源投入前には時刻表示を停止し、内部電源により内部時計による計時時刻を計時し、標準時刻電波信号に基づいて内部時計による計時時刻の時刻修正を行い、外部電源投入時には外部電源に切替え、内部時計による計時時刻に基づいて正確な時刻表示を行う。本実施形態では歯車等の指針駆動系を有する電波修正時計を図を参照しながら説明する。
【００１０】
図１は、本発明に係る電波修正時計の一実施形態の電気的な機能ブロック図である。図２は、図１に示した電波修正時計の構成図である。図３は、図２に示した電波修正時計の断面の拡大図である。
【００１１】
本実施形態に係る電波修正時計１は、図１に示すように、標準電波受信系１１、時刻修正スイッチ１２、発振回路１３、制御回路１４、ドライブ回路１５、報知手段としての発光素子１６、バッファ回路１７、ドライブ回路１８、時計本体１００、秒針用モータ１２１、時分針用モータ１３１、光検出センサ部１４０、手動修正系１５０、電源部２００、外部電源２０１、内部電源２０２、トランジスタＱ１，Ｑ２、および抵抗素子Ｒ１〜Ｒ２を有する。
電源部２００は本発明に係る外部電源監視手段に相当し、制御回路１４は本発明に係る制御手段に相当し、外部電源２０１は本発明に係る外部電源に相当し、内部電源２０２は本発明に係る内部電源に相当する。
【００１２】
標準電波受信系１１は、例えば、受信アンテナ１１ａと、不図示の標準電波送信所から送信された標準時刻情報（時刻コードとも言う）を含む標準電波を受信し、所定の処理を行い、パルス信号Ｓ１１として制御回路１４に出力する長波受信回路１１０を有する。
長波受信回路１１０は、例えば不図示のＲＦアンプ、検波回路、整流回路、および積分回路を有する。
【００１３】
長波受信回路１１０は、異なる複数の周波数を受信するために、例えば詳細には図１に示すように、４０ｋＨｚ受信回路１１１ｒ、６０ｋＨｚ受信回路１１２ｒ、および切換部１１３を有する。
【００１４】
４０ｋＨｚ受信回路１１１ｒは、受信アンテナ１１ａから周波数４０ｋＨｚの標準電波を復調し、受信信号Ｓ１１１を出力する。６０ｋＨｚ受信回路１１２ｒは、受信アンテナ１１ａから周波数６０ｋＨｚの標準電波を復調し、受信信号Ｓ１１２を出力する。
【００１５】
切換部１１３は、制御回路１４からの制御信号ＣＴＬ１１３に応じて、４０ｋＨｚ受信回路１１１ｒと６０ｋＨｚ受信回路１１２ｒを切換える。
切換部１１３は、例えば図１に示すように、端子１１３ａ、端子１１３ｂ、および端子１１３ｃを有する。
切換部１１３は、制御回路１４から４０ｋＨｚ受信回路１１１ｒに切換えさせる制御信号ＣＴＬ１１３を受信した場合には端子１１３ａと端子１１３ｃを接続し、制御回路１４から６０ｋＨｚ受信回路１１２ｒに切換えさせる制御信号ＣＴＬ１１３を受信した場合には端子１１３ｂと端子１１３ｃを接続し、４０ｋＨｚ受信回路１１１ｒおよび６０ｋＨｚ受信回路１１２ｒからの受信信号を択一的に、信号Ｓ１１として制御回路１４へ出力する。
【００１６】
なお、日本の標準電波は独立行政法人通信総合研究所（ＣＲＬ）のもとで運用されており、周波数４０ｋＨｚの標準電波を送信する標準電波送信所および周波数６０ｋＨｚの標準電波を送信する標準電波送信所が設けられている。
標準電波信号受信系１１で受信される標準電波は、図４（ａ）に示すような形態で送られてくる。
【００１７】
具体的には、時刻コードは１，０，Ｐの３種類の信号パターンからなり、１ｓｅｃの１信号パターン中の１００％振幅期間幅によって区別され、１，０，Ｐはそれぞれ５００ｍｓ，８００ｍｓ，２００ｍｓとなっている。変調方式は、最大値１００％，最小値１０％の振幅変調である。
【００１８】
そして、受信状態が良好な場合には、標準電波信号受信系１１からは図４（ｂ）に示すように、標準電波信号に応じたパルス信号として信号Ｓ１１が、制御回路１４に出力される。
【００１９】
この信号Ｓ１１は、例えば第１のレベルに相当するハイレベルと、第２のレベルに相当するロウレベルにより構成されている。制御回路１４は、ハイレベル、およびロウレベル、ならびに、ハイレベルからロウレベルへの立下りエッジｅｄ１、およびロウレベルからハイレベルへの立上がりエッジｅｄ２に基づいて、後述するように受信状態の評価処理を行う。エッジｅｄ１およびエッジｅｄ２を区別しない場合には、単にエッジｅｄという。
【００２０】
次に、長波標準電波の送信データについて説明する。
図５は、標準時刻電波信号の時刻コードの一例を示している。図５（ａ）は毎時１５，４５分以外のフォーマット、図５（ｂ）は、毎時１５分，４５分のフォーマットを示す。
送信情報は、分・時・１月１日からの積算日となっている。
時刻データの送信は、１ｂｉｔ／秒で１分間を１フレームとしており、このフレーム内に前述した分・時・１月１日からの積算日の情報がＢＣＤコードで提供されている。また送信されるデータは、０・１の他にＰコードというマーカーが含まれており、このＰコードは、１フレームに数カ所あり、正分（０秒）、９秒、１９秒、２９秒、３９秒、４９秒、５９秒に現れる。このＰコードが続けて現れるのは１フレーム中１回で５９秒、０秒の時だけで、この続けて現れる位置が正分位置となる。つまり分・時データ等の時刻データはこの正分位置を基準としてフレーム中の位置が決まっているためこの正分位置の検出を行わないと時刻データを取り出すことはできない。
【００２１】
受信修正スイッチ１２は、例えば、出荷時の前の組立工程において時分秒針を取付ける際に、剣付けモードに移行させる際に操作され、信号Ｓ１２を制御回路１４に出力する。制御回路１４は、受信修正スイッチ１２が操作され信号Ｓ１２が入力されると、剣付けモードに移行する。
受信修正スイッチ１２は、本発明に係る設定信号出力手段に相当する。
【００２２】
また、剣付けモードでは、制御回路１４は、少なくとも内部時計１４０１の計時時刻を設定し、指針を、内部時計１４０１の計時時刻が設定されたことを示す時刻設定表示位置に設定する。こうすることで、例えば出荷時には、内部時計１４０１において現時刻情報が設定された状態で内部電源２０２により保持され、外部電源２０１が抜かれた状態で、指針が内部時計１４０１の時刻情報が設定されていることを示す時刻設定表示位置に設定される。
【００２３】
発振回路１３は、水晶発振器ＣＲＹおよびキャパシタＣ２，Ｃ３により構成され、所定周波数の基本クロックを制御回路１４に供給する。
【００２４】
制御回路１４は、内部時計１４０１、およびメモリ１４０２を有する。
内部時計１４０１は、例えば時カウンタ、分カウンタ、および秒カウンタ等を含む。
【００２５】
メモリ１４０２は、例えば、制御回路１４のワークスペースとして用いられる。例えば、メモリ１４０２はＲＡＭ（Ｒａｎｄｏｍ  ａｃｃｅｓｓ  ｍｅｍｏｒｙ）等で構成される。
【００２６】
制御回路１４は、電源部２００を介して電源を監視する。
制御回路１４は、電源部２００により外部電源２０１の投入を検出していない場合には、内部電源２０２による駆動電力を内部時計１４０１に供給して時刻計時を行わせる一方、後述する時刻表示手段による時刻表示を停止させ、内部時計１４０１の計時時刻が予め設定した時刻になると標準時刻電波信号に応じて時刻修正を行い、電源部２００により外部電源２０１の投入を検出した場合には、外部電源２０１による駆動電力を内部時計１４０１に供給して時刻計時を行わせ、当該計時時刻に基づいて時刻表示手段に時刻表示を行わせる。
制御回路１４０は、例えば電源部２００の監視結果に応じて内部時計１４０１への駆動電力の供給を内部電源２０２または外部電源２０１に切替える。
以下、詳細に説明する。
【００２７】
図６は、図１に示す電波修正時計の電源部の一具体例を示す図である。
電源部２００は、外部電源投入部２１０を有し、外部電源投入部２１０で外部電源２０１の投入が行われたか否かの監視および外部電源２０１の電圧を検出する。例えば電源部２００は、外部電源投入部２１０の電圧を監視することにより、外部電源２０１の投入および外部電源の電圧を検出し、検出信号Ｓ２１を制御回路１４に出力する。
また、電源部２００は、外部電源２０１が接続されていない場合には、例えば制御回路１４からの制御信号Ｓ２２に応じて、内部電源２０２から電源を制御回路１４に接続する。内部時計１４０１が計時する時刻情報は、外部電源２０１が接続されていない場合であっても、内部電源２０２により時刻計時を行わせる。
【００２８】
例えば電源部２００は、例えば図６に示すように、ダイオードＤ１，Ｄ２、トランジスタＱ２１，Ｑ２２、抵抗Ｒ２１、キャパシタＣ２１〜Ｃ２４、レギュレータＲＥＧ１，ＲＥＧ２、および外部電源投入部２１０を有する。
トランジスタＱ２１，Ｑ２２は、本発明に係る制御信号に基づいて内部電源２０２と外部電源２０１とを切替える切替え手段に相当する。
【００２９】
電源部２００は、外部電源２０１の外部電源投入部２１０への投入および外部電源２０１の電圧に応じて、例えば詳細には制御回路１４からの制御信号Ｓ２２に応じて内部電源２０２または外部電源２０１に切替える。
【００３０】
外部電源２０１は例えば１次電池であり、例えば本実施形態では３ボルトの１次電池Ｂが設けられる。例えば内部電源２０２は２次電池であり、例えば本実施形態では３ボルトのリチウム電池である。例えばトランジスタＱ２１はＰ型電解トランジスタ（ＦＥＴ：Ｆｉｅｌｄ  ｅｆｆｅｃｔ  ｔｒａｎｓｉｓｔｏｒ  ）であり、トランジスタＱ２２はＮ型の電解トランジスタ（ＦＥＴ）である。レギュレータＲＥＧ１，ＲＥＧ２は３端子レギュレータであり所定の定電圧を出力する。
【００３１】
トランジスタＱ２１のドレインはダイオードＤ１のアノードに接続され、ゲートはトランジスタＱ２２のドレインに接続され、ソースは内部電源２０２のプラス極に接続されている。内部電源２０２のマイナス極は基準電位に保持されている。
トランジスタＱ２２のソースは基準電位に保持され、ゲートは制御回路１４に接続され信号Ｓ２２が入力される。
キャパシタＣ２１は一端がトランジスタＱ２１のゲートおよびトランジスタＱ２２のドレインに接続され、他端が基準電位に保持されている。抵抗Ｒ２１は一端がトランジスタＱ２１のソースに接続され、他端がトランジスタＱ２２のドレインに接続されている。
【００３２】
ダイオードＤ１のカソードは、ダイオードＤ２のカソード、およびコイルＬの一端に接続されている。コイルＬの他端はキャパシタＣ２２の一端に接続され、キャパシタＣ２２の他端は基準電位に保持されている。コイルＬの他端から制御回路１４等に電源が供給される。
【００３３】
ダイオードＤ２のアノードは、外部電源２０１のプラス極、レギュレータＲＥＧ１の入力端子ＲＥＧ１＿ＩおよびレギュレータＲＥＧ２の入力端子ＲＥＧ１＿Ｉに接続されている。
レギュレータＲＥＧ１の出力端子ＲＥＧ＿Ｏからは、外部電源２０１（３．０Ｖ）が接続された場合、所定の定電圧Ｖ＿ｔｈ１、例えば２．５ボルトが出力される。キャパシタＣ２４の一端はレギュレータＲＥＧ１の出力端子およびグランド端子ＲＥＧ１＿Ｇに接続されている。
【００３４】
レギュレータＲＥＧ１のグランド端子ＲＥＧ１＿Ｇ、およびレギュレータＲＥＧ２のグランド端子ＲＥＧ２＿Ｇは基準電位に保持されている。
コンデンサＣ２３の一端はレギュレータＲＥＧ２の入力端子ＲＥＧ２＿Ｉに接続され、他端は出力端子ＲＥＧ２＿Ｇに接続されている。
【００３５】
レギュレータＲＥＧ２の出力端子ＲＥＧ＿Ｏからは、外部電源投入部２１０に外部電源２０１が投入された否かを示し、かつ外部電源の電圧を示す信号Ｓ２１が制御回路１４に出力される。外部電源２０１が投入された場合には、所定の電圧が制御回路１４に出力され、外部電源２０１が投入されていない場合にはロウレベルの信号が制御回路１４に出力される。
制御回路１４はレギュレータＲＥＧ２の出力端子ＲＥＧ＿Ｏからの信号Ｓ２１の電圧を基に基づいて、外部電源投入部２１０に外部電源２０１が投入されたか否かおよび外部電源２０１の電圧を検出する。
【００３６】
図７は、図１に示した外部電源の電圧に応じた制御処理を説明するための図である。
レギュレータＲＥＧ２は、外部電源２０１の検出手段に相当する。
【００３７】
図７（ａ）に示すように、外部電源２０１が投入されていない場合には、レギュレータＲＥＧ２はハイインピーダンスに相当し、外部電源２０１が投入されていない旨を示す信号Ｓ２１が制御回路１４に出力する。
制御回路１４は、その信号Ｓ２１が入力されると内部電源２０２から電力を制御回路１４や標準電波受信系１１に供給させる信号Ｓ２２を出力する。
詳細には、制御回路１４は、ハイレベルの信号Ｓ２２をトランジスタＱ２２に入力してトランジスタＱ２２をオン状態にすると、トランジスタＱ２１のゲートがロウレベルになりトランジスタＱ２１がオン状態になり、内部電源２０２がダイオードＤ１１およびコイルＬを介して制御回路１４に接続される。
【００３８】
図７（ｂ）に示すように、電圧Ｖｆ（本実施形態では３．０Ｖ）の外部電源２０１が投入されると、レギュレータＲＥＧ２は所定の電圧Ｖ＿ｔｈ１を出力して、外部電源２０１（３．０Ｖ）が接続されたことを示す信号Ｓ２１を制御回路１４に出力する。
制御回路１４は、その信号Ｓ２１が入力されると、内部電源２０２から外部電源２０１に切替えて、電力を制御回路１４や標準電波受信系１１に供給させる信号Ｓ２２を出力する。
詳細には、制御回路１４は、ロウレベルの信号Ｓ２２をトランジスタＱ２２に入力してトランジスタＱ２２をオフ状態にすると、トランジスタＱ２１のゲートがハイレベルになりトランジスタＱ２１がオフ状態になる。
【００３９】
図７（ｃ）に示すように、外部電源２０１が電圧Ｖ＿ｔｈ１より低い電圧（本実施形態では２．５Ｖ）になると、レギュレータＲＥＧ２はその電圧に応じた電圧を出力して、外部電源２０１の電圧が電圧Ｖ＿ｔｈ１より低い旨を示す信号Ｓ２１を制御回路１４に出力する。
制御回路１４は、その信号Ｓ２１が入力されると、省電力モードに遷移し、後述する秒針駆動系を停止して、外部電源２０１の電圧が低下した旨を表示させる。
【００４０】
図７（ｄ），（ｅ）に示すように、外部電源２０１が電圧Ｖ＿ｔｈ２より低い電圧（本実施形態では１．５Ｖ）になると、レギュレータＲＥＧ２は動作しなくなりハイインピーダンスと同等になり、外部電源２０１の電圧が電圧Ｖ＿ｔｈ２より低い旨を示す信号Ｓ２１を制御回路１４に出力する。
制御回路１４は、その信号Ｓ２１が入力されると、待機モードに遷移し、内部電源２０２から電力を制御回路１４や標準電波受信系１１に供給させる信号Ｓ２２を出力する。
詳細には、制御回路１４は、ハイレベルの信号Ｓ２２をトランジスタＱ２２に入力してトランジスタＱ２２をオン状態にすると、トランジスタＱ２１のゲートがロウレベルになりトランジスタＱ２１がオン状態になり、内部電源２０２がダイオードＤ１１およびコイルＬを介して制御回路１４に接続される。
【００４１】
また、制御回路１４は、電源部２００から外部電源２０１を検出したことを示す検出信号Ｓ２１が出力されると、指針車の原点検出処理を行い、内部時計１４０１で計時される時刻情報に応じた駆動信号ＣＴＬ１およびＣＴＬ２を出力して、指針による時刻表示を行う。
制御回路１４は、指針の位置検出処理は、時分針車および秒針車の位相合わせ処理、秒針の原点検索処理、時分針の原点検索処理を行い、各指針車の位置を検出した後、所定時刻に指針を設定する。
【００４２】
位相合わせ処理は、例えば、時分針車に設けられた透光部と、秒針車に設けられた透光部とを、発光素子１４２から出力された光が貫通するような位置にまで、時分針車および秒針車を駆動する。
秒針の原点検索処理は、発光素子１４２から出力された光が、秒針車に設けられた遮光部および透光部により、受光素子１４４に受光される、光のオンオフパターンに基づいて原点が検索される。
時分針の原点検索処理は、後述するように、発光素子１４２から出力された光が、時分針車に設けられた遮光部および透光部により、受光素子１４４に受光される、光のオンオフパターンに基づいて位置が検索される。
【００４３】
制御回路１４は、剣付けモードでは、例えば組み立て工程において、時分秒針を取付けるために、指針それぞれが取り付けられる指針車を０時０分０秒の基準位置にまで回転させて停止させる。その基準位置で時分秒針が０時０分０秒になるように取り付けられる。
例えば、基準位置は、０時００分、４時００分、８時００分に設けられるが、本実施形態では基準位置として０時００分を用いる。
【００４４】
制御回路１４は、剣付けモードでは、例えば長波受信系１１に標準電波信号を受信させ、標準電波信号に基づいて内部時計１４０１の時刻情報が設定される。
また、制御回路１４は、指針が設けられる指針車の指針位置を、後述するように指針車に設けられた複数の基準位置の間に設定する。例えば、時分針車の原点検索処理を所定方向に回転させて行い、基準位置を０時００分とすると、その逆方向の基準位置である８時００分の間に、指針車の指針位置を設定する。
【００４５】
また、制御回路１４は、ユーザにより外部電源２０１が投入された場合に行われる上述した原点検索処理の際、原点検索時間が短い位置に指針を移動させる。詳細には、上述したように透光部および遮光部が設けられた指針車を回転させ、光検出センサ部１４０により検出される、光のオン／オフパターンに基づいて原点検索処理を行うため、原点検出処理を行うために必要最小限のオン／オフパターンが検出可能な位置に指針を停止しておくことで、外部電源等が投入され初期動作を行う際に、短時間で原点検索処理を行える。
【００４６】
制御回路１４は、所定の時間、例えば本実施形態では８秒間の標準電波の受信信号のサンプリング（例えば３２Ｈｚ）を行い、そのサンプリングの結果に基いて受信状態を判定する。
【００４７】
詳細には、制御回路１４は、例えば４０ｋＨｚ受信回路１１１ｒを選択させる制御信号ＣＴＬ１１３を切換部１１３に出力し、４０ｋＨｚ受信回路１１１ｒから出力される標準電波の信号Ｓ１１１のサンプリング（例えば３２Ｈｚ）を行い、エッジｅｄを検出し、そのエッジｅｄの有無や数に基いて評価値Ａを生成する。
【００４８】
また、制御回路１４は、所定の時間、例えば１秒内の各サンプリングタイミングでの、ハイレベルまたはロウレベルの合計を求め、その合計値に基いて、標準時刻信号の揺らぎおよびノイズ量に応じて評価値Ｂを生成する。この評価値Ｂは、受信状態の安定性を示す。
【００４９】
制御回路１４は、評価値Ａおよび評価値Ｂに基いて、例えば合計評価値（評価値Ａ＋評価値Ｂ）に基いて、受信状態を評価する。
制御回路１４は、例えば上述の評価値Ａおよび／または評価値Ｂにより良好な受信状態であると判別された場合には、その良好な受信状態の標準電波の周波数を標準電波信号受信系１１の受信周波数に設定する。
【００５０】
また、制御回路１４は、良好でない受信状態の場合には、制御信号ＣＴＬ１１３を出力して標準電波信号受信系１１の受信周波数を切換え、６０ｋＨｚの標準電波を受信状態に基いて同様に評価値Ａおよび評価値Ｂを生成し、以前の受信周波数の標準電波の受信状態を示す評価値Ａおよび評価値Ｂと比較し、標準電波信号受信系１１に受信状態が良いほうの受信周波数に設定させる。
制御回路１４は、設定された受信周波数を持って標準電波信号受信系１１で受信された標準電波に含まれる標準時刻信号に応じて、秒同期検出処理および時刻修正処理を行う。
【００５１】
また、制御回路１４は、上述した８秒間のサンプリング済みのデータに基づいて秒同期処理も行う。この場合には周波数選択によるオーバーヘッドを抑えることができる。
【００５２】
図８は、図１に示した電波修正時計の受信状態に応じた評価値の生成処理を説明するための図である。
図８（ａ）は受信信号のサンプリング結果を示す図であり、図８（ｂ）は評価値Ａの生成処理を説明するための図であり、図８（ｃ）は評価値Ｂの生成処理を説明するための図である。
【００５３】
制御回路１４は、例えばメモリ１４０２に所定の受信周波数の標準電波を所定のサンプリング周波数、例えば３２Ｈｚでサンプリングを行う。図８（ａ）はサンプリングした信号強度がハイレベルの場合に”１”、ロウレベルの場合に”０”とした場合に、横軸に１秒間にサンプリングした信号強度を示す。
例えば、内部時計１４０１の秒カウンタで０秒目から受信信号をサンプリングした場合に、例えば図８（ａ）の１行目に示すように、０，０，１，１，１，１，１，１，０，０，０，０，０，０，１，１，１，１，１，１，１，１，１，１，１，１，１，１，１，１，１，１と受信する。
【００５４】
次の１秒目では２行目に示すように、１，１，１，１，１，１，１，１，０，０，０，０，０，０，０，０，０，０，０，０，０，０，０，０，１，１，１，１，１，１，１，１と受信する。
以下２秒目〜８秒目も同様に受信する。この際、例えばメモリ１４０２をリングメモリとして使用する。
本実施形態では、図８（ａ）に示すように、標準電波のゼロ秒位置と内部時計１４０１が約０．２５秒ずれた場合の良好な受信状態の時の受信結果を示している。
【００５５】
制御回路１４は、受信信号のロウレベル”０”からハイレベル”１”、およびハイレベル”１“からロウレベル“０”を検出して、それぞれをエッジｅｄとし、秒毎にエッジｅｄがない場合に１、エッジがある場合に０としてｘ０〜ｘ７を生成し、そのｘ０〜ｘ７の合計数Ｘを算出する。例えば図８に示すように、０秒目〜８秒目は０であり、その合計数Ｘは０である。
【００５６】
制御回路１４は、秒毎にエッジ数ｙ０〜ｙ７を検出し、エッジ数ｙ０〜ｙ７を加算してエッジ数の合計数Ｙを算出する。
また、エッジの合計数Ｙが所定の値よりも大きい場合には、一定となるように、例えば数式（１）に示すように、合計数Ｙが３２よりも大きい値の場合に１５となるように調節し、合計数Ｚを生成する。
【００５７】
【数１】
2004354060.tif 000003
2004354060.tif 000004
【００５８】
制御回路１４は、例えば数式（２）に示すように合計数Ｘと合計数Ｚに基いて評価値Ａを算出する。
【００５９】
【数２】
2004354060.tif 000005
2004354060.tif 000006
【００６０】
制御回路１４は、図８（ａ）に示すようにロウレベルを０、ハイレベルを１とした場合に、８秒間の同一タイミング毎に合計して、合計数ｂ０〜ｂ３１を生成し、タイミング毎のレベルの変化を評価する。合計数ｂ０〜ｂ３１を単に合計数ｂとも言う。
【００６１】
制御回路１４は、例えば図８（ａ）に示すような場合に、合計数ｂ０〜ｂ３１それぞれは、５，６，８，８，８，８，８，８，０，０，０，０，０，０，１，１，１，１，１，１，１，１，１，４，５，５，５，５，５，５，５，５とする。
【００６２】
制御回路１４は、合計数ｂに基づいて、ロウレベル“Ｌ（０）“の安定度ＳＬを生成する。
制御回路１４は、例えば図８（ｃ）に示すように、合計数ｂ１〜ｂ３１のうち０が５個以上連続している場合には安定度ＳＬを０と設定する。上記以外の場合であって１以下が５個以上連続する場合には安定度ＳＬを１と設定する。上記以外の場合であって２以下が５個以上連続する場合には安定度ＳＬを２と設定する。上記のいずれの条件にも相当しない場合には安定度ＳＬを７と設定する。
【００６３】
制御回路１４は、例えば図８（ｃ）に示すように、合計数ｂに基づいて、ハイレベル“Ｈ（１）“の安定度ＳＨを生成する。詳細には、制御回路１４は、例えば図８（ｃ）に示すように、合計数ｂ１〜ｂ３１のうち８が５個以上連続している場合には安定度ＳＨを０と設定する。上記以外の場合であって６以下が５個以上連続する場合には安定度ＳＨを１と設定する。上記以外の場合であって４以下が５個以上連続する場合には安定度ＳＨを２と設定する。上記のいずれの条件にも相当しない場合には安定度ＳＨを７と設定する。
【００６４】
制御回路１４は、これら安定度ＳＬおよび安定度ＳＨに基いて評価値Ｂを生成する。例えば制御回路１４は、数式（３）に示すように安定度ＳＬと安定度ＳＨを加算して評価値Ｂを生成する。
【００６５】
【数３】
評価値Ｂ＝安定度ＳＬ＋安定度ＳＨ…（３）
【００６６】
評価値Ｂは、受信信号の安定度を示す指標であり、小さいほど安定している状態を示す。
制御回路１４は、図８（ａ）に示したような場合には、安定度ＳＬが０、安定度ＳＨが０であるから、評価値Ｂは０である。
【００６７】
制御回路１４は、評価値Ａおよび評価値Ｂに基いて、受信信号の受信状態を示す評価値Ｃを生成する。例えば、制御回路１４は、数式（４）に示すように、評価値Ａおよび評価値Ｂを加算して評価値Ｃを生成する。評価値Ｃは小さいほど受信状態が良好であることを示す。
【００６８】
【数４】
評価値Ｃ＝評価値Ａ＋評価値Ｂ…（４）
【００６９】
図８（ａ）に示すような場合には、制御回路１４は、評価値Ａが０、評価値Ｂが０であるから、評価値Ｃは０であり、受信状態が極めて良好であると判別する。
【００７０】
制御回路１４は、例えば評価値Ｃが所定の値、例えば２よりも小さい場合には、極めて良好な受信状態であると判別し、評価したその受信周波数で受信するように長波受信回路１１０の受信周波数を設定する。
【００７１】
制御回路１４は、評価値Ｃが所定の値より大きい場合には、異なる周波数の標準電波をサンプリングして受信状態を評価し、異なる周波数の標準電波の受信状態を示す評価値Ｃと比較し、小さい方の評価値Ｃの周波数の標準電波を受信するような制御信号ＣＴＬ１１３を出力して標準電波信号受信系１１の受信周波数を設定する。
制御回路１４は、その設定された受信周波数で受信された標準電波時刻信号に基いて、時刻化が可能である場合には、発振回路１３による基本クロックに基づいて内部時計１４０１の各種カウンタのカウント制御を行う。
【００７２】
制御回路１４は、受信状態が基準範囲にない場合には、制御信号ＣＴＬ１を出力せずに、ドライブ信号ＤＲ１をドライブ回路１５に出力して、報知手段としての発光素子１６を発光させてユーザに標準電波信号がほとんど受信できない旨を報知させる。
【００７３】
制御回路１４は、受信された標準時刻情報に基づいて、内部時計１４０１の各種時刻カウンタで計時されている時刻情報と標準時刻情報とを比較し、誤差が生じている場合には、その誤差に応じて時刻カウンタを修正し、その修正に応じてモータ１３１に制御信号ＣＴＬ２として、修正のためのパルス信号Ｐを入力して早送り駆動等を行い、指針による時刻表示の修正を行う。
【００７４】
次に、電波修正時計のムーブメントおよび指針位置検出系の具体的な構成について、図２，３、図９〜図１７に関連付けて説明する。
時計本体１００は、図２，３に示すように、互いに対向して接続されて輪郭を形成する下ケース１１１、上ケース１１２、ならびに、下ケース１１１および上ケース１１２で形成される空間内において下ケース１１１と連結した状態で配置される中板１１３を有する。
【００７５】
時計本体１００は、互いに対向して接続されて輪郭を形成する第２ケースとしての下ケース１１１および第１ケースとしての上ケース１１２と、この下ケース１１１および上ケース１１２で形成される空間内のほぼ中央部において下ケース１１１と連結した状態で配置される中板１１３とを備えており、空間内の下ケース１１１、中板１１３、上ケース１１２の所定の位置に対して、第１駆動系（秒針駆動系）１２０、第２駆動系（時分針駆動系）１３０、光検出センサ１４０、手動修正系１５０等が固定あるいは軸支されている。
【００７６】
秒針駆動系１２０および時分針駆動系１３０が本発明に係る時刻表示手段に相当する。
【００７７】
第１駆動系１２０は、図２に示すように、略コ字状のステータ１２１ａ、このステータ１２１ａの一方側の脚片に巻回された駆動コイル１２１ｂ、このステータ１２１ａの他方の磁極間において回動自在に配置されたロータ１２１ｃにより構成された秒針用ステッピングモータ１２１と、ロータ１２１ｃのピニオン１２１ｄに大径歯車１２２ａが噛合した第１伝達歯車（第１検出用歯車）としての第１の５番車１２２と、この第１の５番車１２２の小型歯車１２２ｂに噛合した第２検出用歯車（第１指針車）としての秒針車１２３とにより構成されている。
ここで、秒針用ステッピングモータ１２１は、ステータ１２１ａが中板１１３に載置して固定され、ロータ１２１ｃが中板１１３と上ケース１１２とに軸支されており、制御回路１４の出力制御信号ＣＴＬ１に基づいて、その回転方向、回転角度、および回転速度が制御される。
【００７８】
第１の５番車１２２は、大径歯車１２２ａの歯数が６０個、小径歯車１２２ｂの歯数が１５個に形成され、中板１１３および上ケース１１２に回動自在に軸支され、その大径歯車１２２ａが秒針用ステッピングモータ１２１のロータ１２１ｃ（ピニオン１２１ｄ）と噛合して、ロータ１２１ｃの回転速度を所定速度に減速させる。この第１の５番車１２２には、図９に示すように、秒針車１２３と重なる領域において周方向に等間隔（中心角α１が１２０°）で配置された３個の円形状をなす透孔１２２ｃが形成されている。この透孔１２２ｃは、光検出センサ１４０の検出光を通過させるだけでなく、少なくともその１つは、第１の５番車１２２を組付ける際の位置決め孔（度決め孔）として用いられるものである。
【００７９】
秒針車１２３は、大径歯車１２３ａの歯数が６０個に形成され、その軸部の一端が上ケース１１２に軸支され、中板１１３を下ケース１１１側に貫通したその他端側には秒針軸１２３ｂが圧入されており、この秒針軸１２３ｂは、後述する分針パイプ１３４ｐの内側に挿通されて、その先端に秒針が取り付けられている。この秒針車１２３には、図１２に示すように、回転により第１の５番車１２２と重なる領域において周方向に等間隔（中心角α２が３０°）で配置された１１個の円形状をなす透孔１２３ｃと、一箇所だけピッチの異なる位置決め遮光部１２３ｄ（透孔１２３ｃと透孔１２３ｃとの中心角が６０°）とが形成されている。そして、上記第１の５番車１２２の透孔１２２ｃが位置決め遮光部１２３ｄに対向した後に最初に透孔１２３ｃと対向する時に、秒針が正時を指すように構成されている。
【００８０】
透孔１２３ｃは、光検出センサ１４０の検出光を通過させるだけでなく、少なくともその１つは、秒針車１２３を組付ける際の位置決め孔（度決め孔）として用いられるものである。
また、これらの透孔１２３ｃの内側には、周方向に長尺で回転軸方向に突出する円弧状の付勢ばね１２３ｅが、切り欠き孔１２３ｆにより画定されている。この円弧状付勢ばね１２３ｅは、秒針車１２３をその回転軸方向に付勢するものである。
【００８１】
ここで、位置決め遮光部１２３ｄは、周方向において切り欠き孔１２３ｆから離れた位置、すなわち、２つの切り欠き孔１２３ｆが途切れて離れた領域に形成されている。したがって、切り欠き孔１２３ｆと位置決め遮光部１２３ｄとの距離を十分確保できるため、位置決め遮光部１２３ｄの領域において検出光が切り欠き孔１２３ｆに回り込むようなことはなく、確実にこの位置決め遮光部１２３ｄで検出光を遮ることができる。すなわち、検出光の回り込みによる誤検出を生じ易い切り欠き孔１２３ｆを設けた領域から離れた位置に位置決め遮光部１２３ｄが形成されていることから、この位置決め遮光部１２３ｄを秒針車１２２の回転角度位置の位置決めに用いることで、確実な位置決めを行うことができる。
【００８２】
秒針車１２３においては、図１２に示すように、複数（１１個）の透孔１２３ｃを設ける代わりに、図１３に示すように、位置決め遮光部１２３ｄと径方向において対向する位置にある透孔１２３ｃのみを残して、その他の透孔１２３ｃをそれぞれ切り欠き孔１２３ｇと一体的に開けてもよい。これによれば、検出光の通過を許容する部分において、検出光の通過をより一層確実なものとし、また、秒針車１２３を形成する材料の無駄を低減することができる。
【００８３】
第２駆動系１３０は、図２、図３、および図１０に示すように、略コ字状のステータ１３１ａ、このステータ１３１ａの一方側の脚片に巻回された駆動コイル１３１ｂ、このステータ１３１ａの他方の磁極間において回動自在に配置されたロータ１３１ｃにより構成された時分針用ステッピングモータ１３１とロータ１３１ｃのピニオン１３１ｄに大径歯車１３２ａが噛合した中間歯車としての第２の５番車１３２と、この第２の５番車１３２の小径歯車１３２ｂに大径歯車１３３ａが噛合した第２伝達歯車（第３検出用歯車）としての３番車１３３と、この３番車１３３の小径歯車１３３ｂに大径歯車１３４ａが噛合した第４検出用歯車（第２指針車）としての分針車１３４と、この分針車１３４の小径歯車１３４ｂに大径歯車１３５ａが噛合した中間歯車としての日の裏車１３５と、この日の裏車１３５の小径歯車１３５ｂに噛合した第５検出用歯車（第２指針車）としての時針車１３６とにより構成されている。
ここで、時分針用ステッピングモータ１３１は、ステータ１３１ａが中板１１３に載置して固定され、ロータ１３１ｃが中板１１３と上ケース１１２とに軸支されており、制御回路１４の出力制御信号に基づいて、その回転方向、回転角度、および回転速度が制御される。
【００８４】
第２の５番車１３２は、大径歯車１３２ａの歯数が６０個、小径歯車１３２ｂの歯数が１５個に形成され、中板１１３および上ケース１１２に軸支され、その大径歯車１３２ａが時分針用ステッピングモータ１３１のロータ１３１ｃ（ピニオン１３１ｄ）と噛合して、ロータ１３１ｃの回転速度を所定速度に減速させる。なお、この第２の５番車１３２としては、前述の第１の５番車１２２を流用、すなわち、透孔１２２ｃが設けられたものを用いてもよい。これにより、部品の共用化が行え製品のコストを低減することができる。
【００８５】
３番車１３３は、大径歯車１３３ａの歯数が６０個、小径歯車１３３ｂの歯数が１０個に形成され、軸部の一端が上ケース１１２に軸支され、他端側が中板１１３を貫通した状態で回動自在に配設されており、第２の５番車１３２の回転を減速して分針車１３４に伝達する。また、３番車１３３には、図１４に示すように、回転により秒針車１２３および第１の５番車１２２と重なる領域において周方向に等間隔（中心角α３が３６°）で配置された１０個の円形状をなす透孔１３３ｃが形成されている。この透孔１３３ｃは、光検出センサ１４０の検出光を通過させるだけでなく、少なくともその１つは、３番車１３３を組付ける際の位置決め孔（度決め孔）として用いられるものである。
【００８６】
分針車１３４は、大径歯車１３４ａの歯数が６０個、小径歯車１３４ｂの歯数が１４個に形成され、その中央部には小径歯車１３４ｂが一体的に形成された分針パイプ１３４ｐが、側面視にて略Ｔ字形状をなすように形成されている。そして、分針パイプ１３４ｐの一端部が中板１１３に回動自在に軸支され、他端側の軸部は後述する時針車１３６の時針パイプ１３６ｐの内部に回動自在に挿通されている。また、分針パイプ１３４ｐは、下ケース１１１を貫通して時計の文字盤側に突出しており、その先端には分針が取り付けられている。
【００８７】
また、分針車１３４には、図１５に示すように、回転により秒針車１２３，第１の５番車１２２，３番車１３３と重なる領域において周方向に長尺な３個の円弧状透孔１３４ｃ，１３４ｄ，１３４ｅが形成されている。これら円弧状透孔１３４ｃと円弧状透孔１３４ｄとは、中心角α５で３０°隔てて形成され、円弧状透孔１３４ｄと円弧状透孔１３４ｅとは、中心角α６で３０°隔てて形成され、また、円弧状透孔１３４ｅと円弧状透孔１３４ｃとは、中心角α７で６０°隔てて形成されている。すなわち、円弧状透孔１３４ｅと円弧状透孔１３４ｃとの間に、最も幅の広い遮光部Ａが形成され、円弧状透孔１３４ｃと円弧状透孔１３４ｄとの間および円弧状透孔１３４ｄと円弧状透孔１３４ｅとの間に、上記遮光部Ａよりも幅狭の遮光部Ｂが形成されている。
【００８８】
また、円弧状透孔１３４ｃは、一端側の円形部１３４ｃ１と、他端側から伸びる幅広円弧部１３４ｃ２と、両者を連結する幅狭円弧部１３４ｃ３とにより形成されている。この幅狭円弧部１３４ｃ３により画定される円形部１３４ｃ１は、検出光を通過させるだけでなく、分針車１３４を組み付ける際の位置決め孔（度決め孔）として用いられるものである。
【００８９】
時針車１３６は、大型歯車１３６ａの歯数が４０個に形成され、その中央部に円筒状の時針パイプ１３６ｐが一体的に取り付けられており、この時針パイプ１３６ｐの内部に前述の分針パイプ１３４ｐが挿通されている。そして、時針パイプ１３６ｐは、下ケース１１１に形成された軸受け孔１１１ａに挿通されて回動自在に軸支されており、また、その先端側は下ケース１１１を貫通して時計の文字盤側に突出しており、その先端には時針が取り付けられている。
【００９０】
また、時針車１３６には、図１６に示すように、回転により秒針車１２３，第１の５番車１２２，３番車１３３，分針車１３４と重なる領域において周方向に長尺な３個の円弧状透孔１３６ｃ，１３６ｄ，１３６ｅが形成されている。これら円弧状透孔１３６ｃと円弧状透孔１３６ｄとは、中心角α８で４５°隔てて形成され、円弧状透孔１３６ｄと円弧状透孔１３６ｅとは、中心角α９で６０°隔てて形成され、また、円弧状透孔１３６ｅと円弧状透孔１３６ｃとは、中心角α１０で３０°隔てて形成されており、更に、円弧状透孔１３６ｃ，１３６ｄ，１３６ｅの長さは、中心角β１＋β２，β３，β４がそれぞれ７５°，６０°，９０°となるように設定されている。すなわち、円弧状透孔１３６ｅと円弧状透孔１３６ｃとの間に、最も幅の狭い遮光部Ｃが形成され、円弧状透孔１３６ｃと円弧状透孔１３６ｄとの間に、遮光部Ｃよりも幅の広い遮光部Ｄが形成され、円弧状透孔１３６ｄと円弧状透孔１３６ｅとの間に、遮光部Ｄよりも幅の広い遮光部Ｅが形成されている。
【００９１】
また、円弧状透孔１３６ｃは、一端側から中心角β１で７．５°のところに位置する円形部１３６ｃ１と、他端側から伸びる幅広円弧部１３６ｃ２と、両者を連結すると共に円形部１３６ｃ１の両側に位置する幅狭円弧部１３６ｃ３とにより形成されている。この幅狭円弧部１３６ｃ３により画定される円形部１３６ｃ１は、検出光を通過させるだけでなく、時針車１３６を組み付ける際の位置決め孔（度決め孔）として用いられるものである。
【００９２】
日の裏車１３５は、大径歯車１３５ａの歯数が４２個、小径歯車１３５ｂの歯数が１０個に形成され、下ケース１１１に形成された突部１１１ｂに対して回動自在に軸支されており、大径歯車１３５ａが分針パイプ１３４ｐに形成された小径歯車１３４ｂに噛合し、また、小径歯車１３５ｂが時針車１３６（１３６ａ）に噛合して、分針車１３４の回転を減速して時針車１３６に伝達する。
【００９３】
光検出センサ１４０は、図２に示すように、上ケース１１２の壁面に固定された回路基板１４１に取付けられた発光ダイオードからなる発光素子１４２と、この発光素子１４２に対向するように、下ケース１１１の壁面に固定された回路基板１４３に取付けられたフォトトランジスタからなる受光素子１４４とにより形成されている。
そして、発光素子１４２のアノードは一端がｐｎｐトランジスタＱ２のコレクタに接続されたドライブ回路１８における抵抗素子Ｒ４の他端に接続され、カソードは、接地されると共に、受光素子１４４のエミッタに接続されている。
受光素子１４４のコレクタは、制御回路１４に接続されている。この制御回路との接続ラインは、検出信号ＤＴ１の制御回路１４への出力ラインとなっており、この出力ラインは、抵抗素子Ｒ５を介して電源電圧Ｖｃｃの供給ラインに接続されている。
ドライブ回路１８のトランジスタＱ２のエミッタは電源電圧Ｖｃｃの供給ラインに接続され、ベースは抵抗素子Ｒ３を介してドライブ信号ＤＲ２の出力ラインに接続されている。
すなわち、発光素子１４２は、制御回路１４からロウレベルのドライブ信号ＤＲ２が出力されたとき発光するようにドライブ回路１８に接続されている。
【００９４】
また、図３に示すように、平面視にて第１の５番車１２２、秒針車１２３、３番車１３３、分針車１３４、時針車１３６の全てが同時に重なる位置に配置されている。そして、第１の５番車１２２の透孔１２２ｃ、３番車１３３の透孔１３３ｃ、秒針車１２３の透孔１２３ｃ、分針車１３４の透孔１３４ｃ（１３４ｄ、１３４ｅ）、時針車１３６の透孔１３６ｃ（１３６ｄ、１３６ｅ）が重なり合った時に、発光素子１４２から発せられた検出光が受光素子１４４により受光されて、秒針、分針、時針が正時等の位置を指していることを出力するようになっている。
【００９５】
更に、発光素子１４２は、上ケース１１２の外側に開口するように形成された第１配置部としての取付け凹部１１２ｃ内に配置されており、この取付け凹部１１２ｃの底面には、所定径の円形貫通孔１１２ｄが開けられている。この円形貫通孔１１２ｄは、発光素子１４２から発せられる検出光が末広がり状に広がる性質があるため、その広がった部分の光を遮断して収束された光のみを通過させて誤検出を防止できるようにするものである。
同様に、受光素子１４４は、下ケース１１１の外側に開口するように形成された第２配置部としての取付け凹部１１１ｃ内に配置されており、この取付け凹部１１１ｃの底面には、所定径の円形貫通孔１１１ｄが開けられている。この円形貫通孔１１１ｄは、発光素子１４２から発せられ、上記透孔を通過してきた光のみをできるだけ通過させて誤検出を防止できるようにするものである。
【００９６】
第１の５番車１２２、３番車１３３、秒針車１２３、分針車１３４、時針車１３６を取付ける場合は、所定の位置決めピンが、下ケース１１１の円形貫通孔１１１ｄ、位置決めとして用いられるそれぞれの透孔、および上ケース１１２の円形貫通孔１１２ｄを貫くように、順次に組付ける。そして、上ケース１１２および下ケース１１１を接合して一体化した後、位置決めピンを引き抜いて、貫通孔１１２ｄが位置する取付け凹部１１２ｃに発光素子１４２を取付け、また、貫通孔１１１ｄが位置する取付け凹部１１２ｃに受光素子１４４を取付ける。
【００９７】
これにより、貫通孔１１２ｄおよび１１１ｄは完全に塞がれ、上ケース１１２および下ケース１１１により画定される内部空間に外部の光が侵入するのを防止できる。したがって、外部の光が侵入することによる誤検出を防止できると共に、組付け時の位置決め孔と光検出用の透孔とを兼用していることから、これらの孔を別々に設ける場合にくらべて装置の集約化、小型化を行うことができる。
【００９８】
手動修正系１５０は、図２および図３に示すように、上述の分針車１３４の小径歯車１３４ｂおよび時針車１３６の大径歯車１３６ａに噛合する日の裏車１３５と、この日の裏車１３５の大径歯車１３５ａに噛合する歯車１５１ａを有する手動修正軸１５１とにより構成されている。この手動修正軸１５１は、上ケース１１２の外側に位置付けられて利用者が直接指を触れることのできる頭部１５１ｂと、この頭部１５１ｂから伸びて上ケース１１２に形成された開口１１２ｅを貫挿し下ケース１１１に形成された突部１１１ｅに対して軸支された柱状部１５１ｃとからなり、この柱状部１５１ｃの下方領域に歯車１５１ａが形成されている。
【００９９】
手動修正軸１５１は、分針車１３４と同位相で回転するように構成されており、上述の第２駆動系１３０により分針車１３４が駆動されているときには日の裏車１３５を介して分針車１３４と同位相で回転すると共に、第２駆動系１３０の非作動時には、頭部１５１ｂを指で回転させることにより、指針位置を手動修正できるようになっている。
【０１００】
上記のように、秒針車１２３の秒針軸１２３ｂが分針車１３４の分針パイプ１３４ｐに挿通され、分針車１３４の分針パイプ１３４ｐが時針車１３６の時針パイプ１３６ｐに挿通されていることから、秒針車１２３と、分針車１３４と、時針車１３６とは、それぞれの回転中心軸が共通しており、また、時刻表示の際に、秒針が６０秒間に１回転、分針が６０分間に１回転、時針が１２時間に１回転するように駆動される。
【０１０１】
分針車１３４の分針パイプ１３４ｐの先端部および時針車１３６の時針パイプ１３６ｐの先端部には、図１７に示すように、径方向に所定幅をなして伸びる位置決めのための第１指標としての溝１３４ｇおよび第２指標としての溝１３６ｇが形成されている。そして、これらの溝１３４ｇおよび溝１３６ｇが、一直線に並んだとき所定の時刻例えば１２時００分を指すように設定されている。
【０１０２】
このような位置決め指標を設けたことにより、分針車１３４および時針車１３６を下ケース１１１および上ケース１１２により囲繞して覆ってしまった後においても、溝１３４ｇおよび１３６ｇが一直線に並んでいれば予め設定された概略の時刻を指していることが分かるため、その状態を基に分針および時針を容易に取り付けることができ、その他の位置合わせおよび位置確認工程が不要になり、製造ラインおよび検査ラインでの製造時間および検査時間を短縮することができる。なお、位置決め指標としては、上記の溝に限るものではなく、ポッチ等のマークでもよい。
【０１０３】
図１８は、図１に示した電波修正時計の動作を説明するためのフローチャートである。電波修正時計１の動作を図１８を参照しながら、制御回路１４の受信周波数の評価を行う動作を中心に説明する。
【０１０４】
ステップＳＴ１において、制御回路１４では、例えば初期設定として、周波数４０ｋＨｚの標準電波を受信させる制御信号ＣＴＬ１１３を切換部１１３に出力して４０ｋＨｚ受信回路１１１ｒを活性化させて信号Ｓ１１１を受信する。
【０１０５】
ステップＳＴ２において、制御回路１４では、周波数選択および秒同期を含め、受信開始より３分以上経過したか否かが判別され、３分以上経過したと判別された場合には、受信周波数を確定せず（ＳＴ３）、一時受信周波数を４０ｋＨｚに設定し（ＳＴ４）、受信周波数の選択に係る処理を終了する。
【０１０６】
一方、ステップＳＴ２において、制御回路１４では、長波受信回路１１０からの出力の安定待ちを行い、詳細には受信開始から５秒間経過した場合には（ＳＴ５）、標準電波を８秒間受信してサンプリングを行う（ＳＴ６）。
ステップＳＴ７において、制御回路１４では１秒毎のエッジｅｄ（両エッジ）を計測し、エッジｅｄのない秒を計測し（ＳＴ８）、図８に示したように、上記計数に基づいて評価値Ａを生成する（ＳＴ９）。
【０１０７】
ステップＳＴ１０において、制御回路１４では、サンプリングタイミング毎のレベルの計測が行われ、図８に示したように”Ｌ”レベルの安定度ＳＬを評価し（ＳＴ１１）、”Ｈ”レベルの安定度ＳＨを評価し（ＳＴ１２）、上記判定結果より評価値Ｂを算出する（ＳＴ１３）。
ステップＳＴ１４において、制御回路１４では、以前の評価値Ａをメモリ１４０２に保存し、最新の評価値Ｃを算出する（ＳＴ１５）。
【０１０８】
ステップＳＴ１６において、制御回路１４では、最初の受信であるか否かが判別される。最初の受信であると判別された場合には、評価値が２以下か否かが判別され（ＳＴ１７）、今回の周波数を受信用の周波数に設定し（ＳＴ１８）、秒同期処理へ進む（ＳＴ１９）。
【０１０９】
一方、ステップＳＴ１７の判別において、評価値Ｃが２以上、つまり２よりも大きい場合には、標準電波の受信周波数を切換える。例えば、４０ｋＨｚから６０ｋＨｚに受信周波数を切換える制御信号ＣＴＬ１１３を標準電波信号受信系１１に出力して受信周波数を切換え（ＳＴ２０）、ステップＳＴ２の処理に戻り、切換えられた周波数で同様な処理を行う。
【０１１０】
一方、ステップＳＴ１６の判別において、最初の受信ではないと判別された場合には、今回の評価値Ｃと前回の評価値Ｃとが比較され（ＳＴ２１）、比較の結果、異なる場合には、今回の評価値Ｃの方が前回の評価値Ｃよりも大きいか否かが判別され（ＳＴ２２）、今回の評価値Ｃが大きいと判別された場合には、ステップＳＴ１８の処理に進む。
【０１１１】
一方、ステップＳＴ２２の判別において、今回の評価値Ｃの方が前回の評価値Ｃよりも小さいと判別された場合には、前回の周波数に確定され（ＳＴ２３）、ステップＳＴ１９の秒同期処理に進む。
一方、ステップＳＴ２１の判別において、今回の評価値Ｃと前回の評価値Ｃが一致する場合には、評価値が１５であるか否かが判別され（ＳＴ２４）、評価値が１５であると判別された場合には、受信状態が良くないと判別し、ステップＳＴ２０の処理に移行する。
【０１１２】
一方、ステップＳＴ２４の判別において、評価値が１５ではないと判別された場合には、受信状態が良くないと判別し、ステップＳＴ１８の処理に移行する。
【０１１３】
制御回路１４は、受信周波数が確定すると確定フラグをセットし、受信周波数の確定後、２４時間正常に受信できない場合には、確定フラグをクリアして再度、受信周波数の上述した選択処理を行う。
【０１１４】
制御回路１４では、確定した受信周波数の標準電波信号に基づいて、例えば図８（ａ）に示したように、例えば、１１１１１１００００００となるパターンを検出し、その１から０への立下りエッジｅｄ１の時が、標準電波信号のゼロ点として、内部時計１４０１の秒同期処理を行う。
その後、制御回路１４は、分同期処理、時刻コード解析処理等を行い、標準時刻に応じて制御信号ＣＴＬ１，ＣＴＬ２をステッピングモータ１２１，１３１に出力し、早送り動作を行い、指針を標準時刻に設定する。
【０１１５】
図１９は、図１に示した電波修正時計の指針位置検出処理の動作を示すフローチャートである。図１９を参照しながら指針位置検出処理を説明する。
制御回路１４から時分用パルス信号出力パターンがセットされ（ＳＴ１０１）、ドライブ信号ＤＲ２がドライブ回路１８にロウレベルで出力される。これにより、トランジスタＱ２がオンし、発光素子１４２、すなわち発光ダイオードから検出光が発せられる。
【０１１６】
続いて、制御回路１４から制御信号ＣＴＬ１が出力されて秒針用ステッピングモータ１２１がパルス駆動され（ＳＴ１０２）、受光素子１４４すなわちフォトトランジスタがオンし、検出信号ＤＴ１がハイレベル（電源電圧Ｖｃｃレベル）からロウレベルに切り換わったか否かの判別が行われる（ＳＴ１０３）。
【０１１７】
ここで、フォトトランジスタからの検出信号ＤＴ１がハイレベルのままに保持されている場合には、ステップ駆動を行うためにパルス数を加算する度に、フォトトランジスタからの検出信号ＤＴ１がハイレベル（電源電圧Ｖｃｃレベル）からロウレベルに切り換わったか否かの判別が行われる（ＳＴ１０４〜ＳＴ１０６）。
そして、パルス数が９に達してもフォトトランジスタからの検出信号ＤＴ１出力がハイレベル（電源電圧Ｖｃｃレベル）からロウレベルに切り換わらない場合には、時分針用ステッピングモータ１３１が１ステップ（パルス）駆動され（ＳＴ１０７）、その後再び秒針用ステッピングモータ１２１がステップ駆動され（ＳＴ１０２）て、秒針車１２３が回転駆動される。
【０１１８】
一方、ステップＳＴ１０３において、フォトトランジスタによる検出信号ＤＴ１がハイレベルからロウレベルに切り換わったと判別されると、秒針車１２３が早送りされ（ＳＴ１０８）、制御回路１４に予め記憶された出力パターンとの比較が行われる（ＳＴ１０９）。
比較の結果、得られた出力パターンと記憶された出力パターンとが適合しない場合は、ステップＳＴ１０８に戻り、再び秒針車１２３が早送りされる。
【０１１９】
一方、得られた出力パターンと記憶された出力パターンとが適合した場合には、その時点（５ステップ目でもフォトトランジスタにより検出信号ＤＴ１のレベルがロウレベルに切り換わらない場合において次にフォトトランジスタの出力がロウレベルに切り換わった時点）で、制御信号ＣＴＬ１の出力が停止されて、秒針車１２３の回路駆動が停止される。そして、秒針車１２３が帰零位置で停止する（ＳＴ１１０）。このとき、秒針は所定時刻例えば正時（０秒）の位置に修正され、秒針の原点検索処理が終了する。
【０１２０】
続いて、制御回路１４から制御信号ＣＴＬ２が出力されて時分針用ステッピングモータ１３１のみが所定の出力周波数でパルス駆動されて分針車１３４が早送りされる（ＳＴ１１１）。
【０１２１】
そして、フォトトランジスタからの出力パターンと制御回路１４に予め記憶された出力パターンとの比較が行われる（ＳＴ１１２）。
比較の結果、得られた出力パターンと記憶された出力パターンとが適合しない場合は、ステップＳＴ１１１の処理に戻り、再び分針車１３４が早送りされる。
【０１２２】
一方、ステップＳＴ１１２の比較の結果、得られた出力パターンと記憶された出力パターンとが適合した場合は、その時点で、制御信号ＣＴＬ２の出力が停止されて、時分針用ステッピングモータ１３１が停止されて、分針車１３４および時針車１３６の駆動が停止される（ＳＴ１１３）。
【０１２３】
ここで、出力パターンと予め記憶された出力パターンとの比較による時分針車の位置検出処理は、３種類のパターンのいずれかに合わせることにより行われる。
【０１２４】
図２０は、図１に示した電波修正時計の検出光の出力パターンを説明するための図である。
すなわち、分針車１３４によるフォトトランジスタの出力パターンは、図２０（ａ）に示すように、遮光部が作用するオフの幅として、２つの幅狭のＢ部と１つの幅広のＡ部とが交互に現れるようなパターンとなり、また、時針車１３６によるフォトトランジスタの出力パターンは、図２０（ｂ）に示すように、遮光部が作用するオフの幅が３種類のＤ部、Ｅ部、Ｃ部が所定間隔をおいて交互に現れるようなパターンとなり、両者を合成した出力パターンは、図２０（ｃ）に示すように、Ｄ部，Ｂ部およびＡ部が組み合わされたパターンと、Ｅ部，Ｂ部およびＡ部が組み合わされたパターンと、Ｃ部，Ｂ部およびＡ部が組み合わされたパターンの３種類が所定の間隔をおいて現れるパターンとなる。
なお、図２０に示すパターンのうちオンとなるパターンの部分は、実際には３番車１３３の遮光部によりオフとなる部分があるので、歯抜け状のパターンとなっている。
【０１２５】
また、例えば分針車１３４および時針車１３６の基準位置として、図２０に示すように、０時００分、４時００分、および８時００分の位置に設定されている。
【０１２６】
Ｄ部，Ｂ部およびＡ部の組み合わせからなるパターンが確認されたときを例えば４時００分、Ｅ部，Ｂ部およびＡ部の組み合わせからなるパターンが確認されたときをたとえば８時００分、Ｃ部，Ｂ部およびＡ部の組み合わせからなるパターンが確認されたときを、たとえば１２時００分として予め設定しておけば、これらのパターンのいずれかを検出したときに、時分針用ステッピングモータ１３１を停止させることで、分針車１３４および時針車１３６すなわち分針および時針を所定の時刻に時刻修正することができる。
【０１２７】
そして、時分針用ステッピングモータ１３１を停止させた後、制御回路１４によるドライブ信号ＤＲ２がハイレベルに切り換えられる。
これにより、ドライブ回路１８のトランジスタＱ２がオフし、発光ダイオードの発光が停止され（ＳＴ１１４）、時刻修正動作を終了する。
【０１２８】
また、剣付けモードの際に、時分針車の原点検索処理が短くなるような出荷位置ＴＳ、本実施形態では１０時３０分に設定する場合を図２０を参照しながら説明する。
例えばユーザが外部電源２０１を投入すると、制御回路１４は、位相合わせ処理、秒針原点検索処理、分針原点検索処理、および時刻合わせ処理を行う。出荷位置ＴＳとして１０時３０分に設定した場合、図２０に示したように、出荷位置ＴＳから秒針車および時分針車を駆動させて検出光を貫通させた後、時分針を止めて秒針原点検索を行う。その後時分針車を回転させて、光センサ部１４０でＣ部を検出することで、略１２時の位置あることを検出し、Ｂ部およびＡ部を検出した時点で停止させることにより、時分針が所定の基準位置１２時００分に設定される。
【０１２９】
例えば、この１０時３０分の位置は、時分針車を基準位置に設定する際に原点検索処理を行う際に、参照される必要最小限必要なオンオフパターンを検出する位置である。この位置に出荷時の指針を設定することにより、原点検索処理の時間が最も短い。
【０１３０】
図２１は、図１に示した電波修正時計の動作を示すフローチャートである。
工場内に設置した４０ｋＨｚ発信装置でエージングや機能検査を行い、正確な時刻は６０ｋＨｚ発信装置で送信する。この順番は、通常受信時の周波数選択が４０ｋＨｚから行い、剣付けモード時には６０ｋＨｚから行い周波数選択にかかる時間を削減している。
【０１３１】
剣付けモード時の動作について説明する。
ステップＳＴ２０１において、制御回路１４は、モータに初期化パルスを出力し、運針方向の初期化を行い、通常の運針を禁止する（ＳＴ２０２）。
ステップＳＴ２０３において、制御回路１４では、標準電波信号受信系１１に電源を供給して、標準電波の受信を開始させる。
ステップＳＴ２０４において、制御回路１４では、駆動信号ＣＴＬ１およびＣＴＬ２を出力し、光センサ１４０により検出される光パターンに基づいて、秒針車および時分針車の原点検索を開始する。
【０１３２】
ステップＳＴ２０５において、制御回路１４では、秒針車および時分針車の原点検索が完了すると、駆動信号ＣＴＬ１およびＣＴ２を駆動して、０時０分０秒の駆動位置への指針の移動を開始する（ＳＴ２０６）。
ステップＳＴ２０７において、制御回路１４では、指針が０時０分０秒に移動が完了したと判別した場合には、時刻修正スイッチがオン状態であるか否かが判別される（ＳＴ２０８）。
【０１３３】
ステップＳＴ２０８において、制御回路１４では、時刻修正時計がオン状態ではないと、判別した場合には、押し込み時間をクリアし（ＳＴ２０９）、２秒未満（クリア前）か否かが判別され（ＳＴ２１０）、２秒未満でないと判別された場合にはステップＳＴ２０８の処理に戻る。
一方、ステップＳＴ２１０の判別において、２秒未満であると判別されると次の原点へ検索が開始され（ＳＴ２１１）、検索が完了した場合には、ステップＳＴ２０８の処理に戻る。
【０１３４】
一方、ステップＳＴ２０８の判別において、時刻修正スイッチがオン状態の場合には、時刻修正スイッチのオン状態からオフ状態への切換エッジの検出を行い（ＳＴ２１３）、時刻修正スイッチの押し込み時間が計測され（ＳＴ２１４）、ステップＳＴ２０８の処理に戻る。
【０１３５】
一方、ステップＳＴ２１３の判別において、時刻修正スイッチのオフ状態からオン状態への切換エッジが検出されない場合には、２秒以上経過したか否かが判別され（ＳＴ２１５）、２秒以上経過していないと判別された場合には、ステップＳＴ２０８の処理に戻る。
【０１３６】
一方、ステップＳＴ２１５の判別において、２秒以上経過したと判別した場合には、受信完了か否かが判別され（ＳＴ２１６）、受信完了していない場合にはステップＳＴ２０８の処理に戻る。
【０１３７】
一方、ステップＳＴ２１６の判別において、受信が完了したと判別された場合には、出荷針位置移動処理に移行する。
出荷針位置移動処理を説明する。
ステップＳＴ２１７において、制御回路１４では、初期設定として受信周波数を４０ｋＨｚとする場合には、駆動信号ＣＴＬ１を秒針用モータに出力して秒針を２０秒の位置へ移動させ（ＳＴ２１８）、ステップＳＴ２２０の処理に進む。初期設定として受信周波数を６０ｋＨｚとする場合には、駆動信号ＣＴＬ１を秒針用モータに出力して、秒針を３０秒へ移動させ（ＳＴ２１９）、ステップＳＴ２２０の処理に進む。
【０１３８】
ステップＳＴ２２０において、制御回路１４では、駆動信号ＣＴＬ２を出力して、時分針を１０時３０に移動させる。
この１０時３０分の位置は、出荷後に例えばユーザが電池を印加した場合には、原点検索時間が短い位置である。原点検索処理は、光検出センサ部１４０により検出される、光パターンに基づいて行うため、原点検索を行うのに必要最小限の所定のパターンが得られる位置に時分針をセットする。
【０１３９】
ステップＳＴ２２１において、制御回路１４では、時刻修正スイッチがオン状態か否かが判別され、オン状態でないと判別され、時分針の移動が完了した場合（ＳＴ２２２）には、一連の剣付けモードの処理を終了し、待機モードに移行する。
【０１４０】
一方、ステップＳＴ２２１の判別において、時刻修正スイッチがオン状態でないと判別された場合には、更に２秒（計４秒）経過したか否かが判別され（ＳＴ２２３）、経過していない場合には、ステップＳＴ２２１の処理に戻る。
【０１４１】
一方、ステップＳＴ２２２の処理において、更に２秒経過したと判別された場合には、制御回路１４では、内部時計１４０１で計時されている時刻に基づいて、駆動信号ＣＴＬ１およびＣＴＬ２を出力し、時分秒針を現時刻へ移動を開始する。この際、制御回路１４は、２秒運針を許可する（ＳＴ２２５）。
【０１４２】
ステップＳＴ２２６において、制御回路１４では、時刻修正スイッチがオン状態で、スイッチのオフ状態からオン状態への切換エッジ検出された場合には（ＳＴ２２７）、２秒運針を禁止し（ＳＴ２２８）、ステップＳＴ２１７の処理に進む。
一方ステップＳＴ２２６の判別において時刻修正スイッチがオン状態が検出されない場合、およびステップＳＴ２２７の処理において、エッジが検出されない場合には、ステップＳＴ２２６の処理に戻る。
【０１４３】
以上説明したように、剣付けモード時に時刻修正を行い所定の位置に指針を停止させるので、その停止している針位置から出荷時に時刻修正が行われたことが確認できる。また、原点検索に要する時間を最短とすることができる。
【０１４４】
図２２〜２４は、図１に示した電波修正時計の動作を説明するためのフローチャートである。図２２は待機モード時、図２３は通常モード時、図２４は省電力モード時の動作を説明するためのフローチャートである。図２２〜２４を参照しながら、電波修正時計１の動作、例えば外部電源２１０が外部電源投入部２１０に投入された場合の動作を説明する。
【０１４５】
ステップＳＴ３０１において、外部電源２０１が外部電源投入部２１０に投入されていない状態では待機モードである。
待機モード時には、制御回路１４では、レギュレータＲＥＧ２から外部電源２０１が投入されていない旨を示す信号Ｓ２１が入力されると、ハイレベルの信号Ｓ２２をトランジスタＱ２２に入力してトランジスタＱ２２をオン状態にする。トランジスタＱ２１のゲートがロウレベルになりトランジスタＱ２１がオン状態になり、内部電源２０２がダイオードＤ１およびコイルＬを介して制御回路１４に接続される（ＳＴ３０２）。
【０１４６】
この状態では、内部電源２０２により、内部時計１４０１で計時されている計時時刻（時刻情報ともいう）が保持されている（ＳＴ３０３）。
この内部時計１４０１の時刻情報は、例えば電波修正時計１の製品出荷前に予め設定する。また、指針の位置が原点検索処理の検索時間が短い位置に設定されている。
また、内部電源２０２から標準電波受信系１１に駆動電力が供給される（ＳＴ３０４）。
【０１４７】
ステップＳＴ３０５において、制御回路１４では、内部時計１４０１が計時する計時時刻が、予め設定された時刻であるか否かが判別される。詳細には、例えば設定時刻は電波受信状態のよい時刻に設定されている。
制御回路１４では、設定時刻であると判別されると、標準電波受信系１１に標準時刻電波信号を受信させ（ＳＴ３０６）、受信した標準時刻電波信号に応じて内部時計１４０６の時刻修正を行い（ＳＴ３０７）、ステップＳＴ３０８に進む。
【０１４８】
一方、ステップＳＴ３０５の判別において、設定時刻でないと判別されると、外部電源２０１（例えば設定電圧Ｖ＿ｔｈ１＝２．５Ｖよりも大きい電圧の外部電源）が投入されたか否かが判別され（ＳＴ３０８）、外部電源２０１が入力されていない場合には、ステップＳＴ３０５の処理に戻る。
【０１４９】
一方、ステップＳＴ３０８の判別において、制御回路１４は、例えば詳細には電源部２００のレギュレータＲＥＧ２から、例えば設定電圧Ｖ＿ｔｈ１＝２．５Ｖよりも大きい電圧の外部電源）が投入されたことを示す電圧Ｖ＿ｔｈ１の信号Ｓ２１が入力されると、通常モードに遷移する（ＳＴ３０９）。
【０１５０】
制御回路１４は、通常モード時には例えば図２３に示すように、内部電源２０２から外部電源２０１に切替えて、電力を制御回路１４や標準電波受信系１１に供給させる信号Ｓ２２を電源部２００に出力する（ＳＴ３１０）。
【０１５１】
ステップＳＴ３１１において、制御回路１４は、駆動信号ＣＴＬ１およびＣＴＬ２を駆動して、秒針用モータ１２１および時分針用モータ１３１を駆動して、上述した原点検索動作を行う。
ステップＳＴ３１２において、制御回路１４は、標準電波受信系１１に標準電波信号を受信させ、標準電波信号が正常に行われた場合には（ＳＴ３１３）、内部時計１４０１で計時される計時時刻を修正し（ＳＴ３１４）、受信状態が悪い場合には内部時計１４１の時刻情報の修正を行わずに、内部時計１４０１による時刻情報に基づいて、駆動信号ＣＴＬ１およびＣＴＬ２を駆動して、指針による時刻表示を行う（ＳＴ３１５）。
【０１５２】
ステップＳＴ３１６において、例えば制御回路１４では、内部時計１４０１が計時する計時時刻が、予め設定された時刻であるか否かが判別される。
制御回路１４では、設定時刻であると判別されると、通常の時刻修正処理、つまり標準電波受信系１１に標準時刻電波信号を受信させ、受信した標準時刻電波信号に応じて内部時計１４０６の時刻修正を行い、その内部時計１４０６の時刻情報に基づいて、駆動信号ＣＴＬ１およびＣＴＬ２を駆動して、指針による時刻表示の修正を行い（ＳＴ３１７）、ステップＳＴ３１８の処理に進む。
【０１５３】
一方、ステップＳＴ３１６の判別において、設定時刻でない場合には、外部電源２０１の電圧が、電圧Ｖ＿ｔｈ１（＝２．５Ｖ）より低いか否かが判別され（ＳＴ３１８）、低くない場合には、ステップＳＴ３１６の処理に戻る。
【０１５４】
一方、ステップＳ３１８の判別において、外部電源２０１の電圧が、電圧Ｖ＿ｔｈ１より低い場合には、省電力モードに遷移する（ＳＴ３１９）。
【０１５５】
図２４に示すように、省電力モードでは、制御回路１４は、秒針駆動系を停止して、外部電源２０１の電圧が低下した旨を表示させる（ＳＴ３２０）。
【０１５６】
ステップＳＴ３２１において、例えば制御回路１４では、内部時計１４０１が計時する計時時刻が、予め設定された時刻であるか否かが判別される。
制御回路１４では、設定時刻であると判別されると、通常の時刻修正処理、つまり標準電波受信系１１に標準時刻電波信号を受信させ、受信した標準時刻電波信号に応じて内部時計１４０６の時刻修正を行い、その内部時計１４０６の時刻情報に基づいて、駆動信号ＣＴＬ１およびＣＴＬ２を駆動して、指針による時刻表示の修正を行い（ＳＴ３２２）、ステップＳＴ３２３の処理に進む。
【０１５７】
一方、ステップＳＴ３２１の判別において、制御回路１４は、設定時刻でない場合には、外部電源２０１の電圧が、電圧Ｖ＿ｔｈ２（＝１．５Ｖ）より低いか否かが判別され（ＳＴ３２３）、低くない場合には、ステップＳＴ３１９の処理に戻る。
【０１５８】
一方、ステップＳＴ３２３の処理において、制御回路１４は、外部電源２０１の電圧が、電圧Ｖ＿ｔｈ２（＝１．５Ｖ）より低いと判別された場合、つまり外部電源２０１の電圧が非常に少ない場合や外部電源２０１が未接続状態になった場合には、時分用モータ１３１に印加する駆動信号ＣＴＬ１３１を停止し（ＳＴ３２４）、ハイレベルの信号Ｓ２２をトランジスタＱ２２に入力してトランジスタＱ２２をオン状態にすると、トランジスタＱ２１のゲートがロウレベルになりトランジスタＱ２１がオン状態になり、内部電源２０２がダイオードＤ１１およびコイルＬを介して制御回路１４に接続させ、待機モードに遷移し（ＳＴ３２５）、ステップＳＴ１の処理に戻る。
【０１５９】
以上説明したように、内部電源２０２と、外部電源投入部２１０と、内部時計１４０１が計時する計時時刻に基づいて時刻表示を行う秒針駆動系１２０および時分針駆動系１３０と、外部電源投入部２１０で外部電源２０１の投入が行われたか否かを監視する電源部２００と、電源部２００の監視結果に応じて内部時計１４０１への駆動電力の供給を内部電源２０２または外部電源２０１に切替えるトランジスタＱ２１，２２と、電源部２００により外部電源２０１の投入を検出していない場合には、内部電源２０２による駆動電力を内部時計２０１に供給して時刻計時を行わせる一方、秒針駆動系１２０および時分針駆動系１３０による時刻表示を停止させ、内部時計１４０１の計時時刻が予め設定した時刻になると標準時刻電波信号に応じて時刻修正を行い、電源部２００により外部電源２０１の投入を検出した場合には、外部電源２０１による駆動電力を内部時計１４０１に供給して時刻計時を行わせ、当該計時時刻に基づいて秒針駆動系１２０および時分針駆動系１３０に時刻表示を行わせる制御回路１４とを設けたので、外部電源投入時に、正確な時刻表示を行うことができる。
【０１６０】
また、外部電源投入前には時刻表示を停止し、内部電源により内部時計による計時時刻を保持し、標準時刻電波信号に基づいて内部時計による計時時刻の時刻修正を行うので、外部電源投入時には、短時間に正確な時刻表示を行うことができる。
【０１６１】
また、指針位置により出荷時に時刻設定がされたことが確認でき、外部電源２０１が投入された場合には、原点検索に要する時間を最短とすることができる。
【０１６２】
なお、本発明は本実施形態に限られるものではなく、任意好適な種々の変更が可能である。
本実施系形態では、時刻表示手段として、歯車等による指針駆動系を有する電波修正時計を説明したが、この形態に限られるものではない。例えば、液晶やＬＥＤにより時刻表示を行う時刻表示手段を有してもよい。この場合には、外部電源供給時に短時間に内部時計が計時する正確な計時時刻に応じた時刻表示を行うことができる。
【０１６３】
本実施形態では、剣付けモード時に１０時３０分に指針位置を設定したが、この形態に限られるものではない。
例えば本実施形態では指針車に形成された、透光部および遮光部とが回転することにより生成される、光のオン／オフパターンを検出したが、指針車に設けられた透光部および遮光部を異なった設置位置に設け、原点検索のために必要最小限のオン／オフパターンを検出できるような位置に指針を停止することで、より短時間に原点位置を検出し、内部時計の計時時刻に応じた時刻に、より短時間で設定することができる。
【０１６４】
また、本実施形態では、１０時３０分に出荷時の指針位置を設定したが、この形態に限られるものではない。例えば、出荷時の指針位置が、８時００分から１０時３０分までの間であれば、外部電源投入時に、Ｃ部、Ｂ部、Ａ部を検出することで、０時００分の基準位置を短時間に検出することができる。この際、出荷時の指針位置を、例えばＣ部、Ｂ部、Ａ部を検出することができる最小の位置に設定することが好ましい。
【０１６５】
また、本実施形態では基準位置として０時００分に設定したが、この形態に限られるものではない。例えば４時００分や８時００分でもよい。例えば、４時００分に設定する場合には、２時１０頃に出荷時の指針位置を設定することで、Ｄ部、Ｂ部、Ａ部を短時間で検出することができる。また、８時００分に設定する場合には、５時４０分頃に出荷時の指針位置を設定することで、Ｅ部、Ｂ部、Ａ部を短時間で検出することができる。
【０１６６】
【発明の効果】
本発明によれば、外部電源投入時に、正確な時刻表示を行うことができる電波修正時計を提供することができる。
【図面の簡単な説明】
【図１】本発明に係る電波修正時計の一実施形態の電気的な機能ブロック図である。
【図２】図１に示した電波修正時計の構成図である。
【図３】図２に示した電波修正時計の断面の拡大図である。
【図４】本発明に係る制御回路における電波受信状態を説明するための図である。
【図５】標準時刻電波信号の時刻コードの一例を示している。（ａ）は毎時１５，４５分以外のフォーマット、（ｂ）は毎時１５分，４５分のフォーマットを示す。
【図６】図１に示す電波修正時計の電源部の一具体例を示す図である。
【図７】図１に示した外部電源の電圧に応じた制御処理を説明するための図である。
【図８】図１に示した電波修正時計の受信状態に応じた評価値の生成処理を説明するための図である。
【図９】電波修正時計の一部である秒針を駆動する第１駆動系を示す平面図である。
【図１０】電波修正時計の一部である分針および時針を駆動する第２駆動系を示す平面図である。
【図１１】秒針を駆動する第１駆動系の一部をなす第１の５番車を示す平面図である。
【図１２】秒針を駆動する第１駆動系の一部をなす秒針車を示す平面図である。
【図１３】秒針を駆動する第１駆動系の一部をなす秒針車の他の例を示す平面図である。
【図１４】分針および時針を駆動する第２駆動系の一部をなす３番車を示す平面図である。
【図１５】分針および時針を駆動する第２駆動系の一部をなす分針車を示す平面図である。
【図１６】分針および時針を駆動する第２駆動系の一部をなす時針車を示す平面図である。
【図１７】分針パイプおよび時針パイプの先端部を示す端面図である。
【図１８】図１に示した電波修正時計の動作を説明するためのフローチャートである。
【図１９】修正動作において、分針車、時針車、および両者の合成による検出出力パターンを示す図である。
【図２０】図１に示した電波修正時計の検出光の出力パターンを説明するための図である。
【図２１】図１に示した電波修正時計の動作を示すフローチャートである。
【図２２】図１に示した電波修正時計の待機モード時の動作を説明するためのフローチャートである。
【図２３】図１に示した電波修正時計の通常モード時の動作を説明するためのフローチャートである。
【図２４】図１に示した電波修正時計の省電力モード時の動作を説明するためのフローチャートである。
【符号の説明】
１…電波修正時計、１１…標準電波受信系、１１ａ…受信アンテナ、１２…スイッチ、１３…発振回路、１４…制御回路、１５…ドライブ回路、１６…発光素子、１７…バッファ回路、１００…時計本体、１１０…長波受信回路、１１１ｒ…４０ｋＨｚ受信回路、１１２ｒ…６０ｋＨｚ受信回路、１１１…下ケース、１１２…上ケース、１１３…中板、１２０…第１駆動系（秒針駆動系）、１２１…秒針用モータ（第一駆動源）、１２２…第１の５番車（第一伝達歯車、第一検出用歯車）、１２２ｃ…透孔、１２３…秒針車（第２検出用歯車、第一指針車）、１２３ｃ…透孔、１２３ｄ…位置決め遮光部、１２３ｅ…付勢ばね、１２３ｆ…切り欠き孔、１２３ｇ…切り欠き孔、１３０…第２駆動系（時分針駆動系）、１３１…時分針用モータ（第２駆動源）、１３２…第２の５番車、１３３ｃ…透孔、１３４…分針車（第４検出用歯車、第２指針車）、１３４ｃ…円弧状透孔、１３４ｄ…円弧状透孔、１３４ｅ…円弧状透孔、１３４ｇ…溝（第１指標）、１３４ｐ…分針パイプ、１３５…日の裏車、１３６…時針車（第５検出用歯車、第２指針車）、１３６ｃ…円弧状透孔、１３６ｄ…円弧状透孔、１３６ｅ…円弧状透孔、１３６ｇ…溝（第２指標）、１３６ｐ…時針パイプ、１４０…光検出センサ、１４２…発光素子、１４３…回路基板、１４４…受光素子、１５０…手動修正系、１５１…手動修正軸、１５１ｂ…頭部、２００…電源部、２０１…外部電源、２０２…内部電源、２１０…外部電源投入部、１４０１…内部時計、１４０２…メモリ。
【図１】
2004354060.tif 000007
【図２】
2004354060.tif 000008
【図３】
2004354060.tif 000009
【図４】
2004354060.tif 000010
【図５】
2004354060.tif 000011
【図６】
2004354060.tif 000012
【図７】
2004354060.tif 000013
【図８】
2004354060.tif 000014
【図９】
2004354060.tif 000015
【図１０】
2004354060.tif 000016
【図１１】
2004354060.tif 000017
【図１２】
2004354060.tif 000018
【図１３】
2004354060.tif 000019
【図１４】
2004354060.tif 000020
【図１５】
2004354060.tif 000021
【図１６】
2004354060.tif 000022
【図１７】
2004354060.tif 000023
【図１８】
2004354060.tif 000024
【図１９】
2004354060.tif 000025
【図２０】
2004354060.tif 000026
【図２１】
2004354060.tif 000027
【図２２】
2004354060.tif 000028
【図２３】
2004354060.tif 000029
【図２４】
2004354060.tif 000030